(57)【要約】【課題】通常の金属製の内鍋の場合はもちろん、土鍋等の非金属製の内鍋を採用した場合にも、従来のような回路内部要素のバラツキや入力電圧の変動に影響されることなく、安定した一定の電力制御を行うことができる信頼性の高い電気炊飯器を提供する。【解決手段】水および米を収容する内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、この入力電流検出手段により検出される入力電流を可変することにより所定の出力が得られるように上記炊飯加熱手段に供給する電力を制御する炊飯制御手段とを備えてなる電気炊飯器において、上記入力電圧検出手段により検出された入力電圧値により上記炊飯制御手段の設定電流値を補正する設定電流値補正手段とを設けた。【選択図】        図４
2008066013.tif 000002
【特許請求の範囲】
【請求項１】
水および米を収容する内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、この入力電流検出手段により検出される入力電流を可変することにより所定の出力が得られるように上記炊飯加熱手段に供給する電力を制御する炊飯制御手段とを備えてなる電気炊飯器において、上記入力電圧検出手段により検出された入力電圧値により上記炊飯制御手段の設定電流値を補正する設定電流値補正手段とを設けたことを特徴とする電気炊飯器。
【請求項２】
入力電圧検出手段の検出速度を、炊飯制御手段のフィードバック制御速度よりも遅くしたことを特徴とする請求項１記載の電気炊飯器。
【請求項３】
入力電圧検出手段のフィルタ回路の時定数を、発生するリップル電圧に対応して大きくしたことを特徴とする請求項１又は２記載の電気炊飯器。
【請求項４】
入力電流検出手段が充放電コンデンサを備えたピークホールド検出回路よりなり、入力電流の変動は次の半サイクルで補正されるようにしたことを特徴とする請求項１，２又は３記載の電気炊飯器。
【発明の詳細な説明】
【技術分野】
【０００１】
本願発明は、電磁誘導加熱式の電気炊飯器に関するものである。
【背景技術】
【０００２】
最近の電気炊飯器では、高出力で加熱効率が高く出力制御の応答性も高いために、早く、しかも美味しい御飯を炊き上げることができることから、内鍋（飯器）自体を金属材料で形成するとともに、その炊飯加熱手段として、電磁誘導によって当該内鍋内に渦電流を誘起させて自己発熱させる電磁誘導加熱手段を採用した電磁誘導加熱式のものが多くなっている。
【０００３】
このような電気炊飯器の場合、上記電磁誘導加熱手段として、所謂ワークコイルを採用し、内鍋を収納する有底筒状の内ケース（保護枠）の底壁面に対し、巻き幅の広い１組のワークコイルを沿わせて設置するか、または同底壁面の中央部側に位置して巻かれた第１のワークコイルと同底壁面の外周部側（湾曲面）に第１のワークコイルと所定の間隔を置いて巻かれた第２のワークコイルとの内外２組のワークコイルを内鍋の底面形状に沿わせて曲面型に設置した誘導加熱構造が採用されている（特許文献１参照）。もちろん、さらに必要に応じて内ケースの側面側にもワークコイルを設けたものもある。
【０００４】
また、このような電磁誘導式加熱手段を採用した電気炊飯器において、ご飯の炊き上がりをより良好ならしめるために、上記従来の金属材料よりなる内鍋に替えて、例えばセラミック等の非金属材料よりなる内鍋（いわゆる土鍋）の採用が検討されている（例えば特許文献２参照）。
【０００５】
この場合、当然ながら内鍋自体が電磁誘導によっては発熱しないために、例えば内鍋の外周面又は内周面、さらにそれら両面に特に電磁誘導効率の高い金属製の誘導発熱体を配設し、この誘導発熱体を上記ワークコイル等の対応する電磁誘導加熱手段によって誘導発熱させることにより、内鍋を加熱する間接的な加熱構造が採用されている（例えば特許文献３参照）。
【０００６】
ところで、これら電磁誘導加熱手段を用いた電気炊飯器に関し、内鍋を誘導加熱するワークコイルと、このワークコイルに高周波電流を供給するインバータ回路と、このインバータ回路の発振周波数を可変するインバータ制御回路と、上記内鍋または内鍋近傍の温度を検知する内鍋温度検知センサーと、この内鍋温度検知センサーで検知した温度により炊飯量を判定する炊飯量判定手段とを備え、電力量の加減制御時、上記インバータ制御回路は上記炊飯量判定手段で検出した炊飯量に応じて一定の電力が得られるように各炊飯工程における上記インバータ回路の発振周波数を可変することによって入力電力量を調整するようにしたものがある。
【０００７】
このような入力電力量の調整によって電力量を加減制御する方法によると、次のような作用を得ることができる。
【０００８】
（１）  炊飯量に応じてインバータ回路の発振周波数を可変してワークコイルによる誘導加熱量を可変するので、微妙な加熱量を制御することができ、炊飯量に応じたきめ細かな加熱により理想炊飯曲線に近い加熱制御を可能とし、おいしいご飯を炊き上げることができる。
【０００９】
（２）  炊飯量に応じてインバータ回路の発振周波数を可変してワークコイルによる誘導加熱量を可変するので、内鍋の温度上昇カーブが滑らかになり、内鍋温度検知センサーの温度検知精度を高めることができ、内鍋温度検知センサーの検知温度により炊飯量を判定する場合、その炊飯量の判定精度も高まり、正確な炊飯量による適切な加熱量でご飯を炊き上げることができる。
【００１０】
【特許文献１】特開２００４−２０１８０４号公報（明細書１−１２頁、図１−７）。
【００１１】
【特許文献２】実用新案登録第３１１００３８号公報（明細書１−３頁、図１）。
【００１２】
【特許文献３】特願２００６−１１３２８５号（明細書１−１０頁、図１−図４）。
【００１３】
【特許文献４】特公平７−３６７９９号公報（明細書１頁−第３頁、第１図−第２図）。
【発明の開示】
【発明が解決しようとする課題】
【００１４】
ところで、上記特許文献４に示されるような入力電力量調整方式による電力量制御方法では、各炊飯工程において炊飯量に応じて設定された目標電力値に対して入力電圧検出手段および入力電流検出手段によって検出された入力電圧および入力電流の積Ｖ・Ｉ＝Ｗ（電力値）が大きいか、小さいかを比較し、その偏差値に応じて入力電力量を増減制御（フィードバック制御）することになる。
【００１５】
しかし、そのような構成の場合、例えば、ワークコイルの発熱（温度上昇）によるリッツ線抵抗値の減少などの回路要素の電源インピーダンスの変動による入力電圧の変動、外部配電系統からの電源電圧変動やワークコイルＣ自らのＯＮ，ＯＦＦ動作（負荷動作）による入力電圧の変動等の影響により、目標電力値通りの一定の安定した電力制御を行えない問題がある。
【００１６】
特に土鍋等非金属製の内鍋（焼き物）を採用した場合、上記のような原因による電源電圧の変動のほか、内鍋自体に製品毎の寸法上のバラツキがあり、誘導発熱体との関係で誘導回路のインダクタンスに差が生じ、これによっても電源インピーダンスが変動する。したがって、より制御される電力値が不安定になりやすい。
【００１７】
本願発明は、このような問題を解決するためになされたもので、通常の金属製の内鍋の場合はもちろん、土鍋等の非金属製の内鍋を採用した場合にも、従来のような回路内部要素のバラツキや内鍋の種類等による入力電圧の変動に影響されることなく、安定した一定の電力制御を行うことができる信頼性の高い電気炊飯器を提供することを目的とするものである。
【課題を解決するための手段】
【００１８】
本願発明は、同目的を達成するために、次のような課題解決手段を備えて構成されている。
【００１９】
（１）  請求項１の発明
この発明の電気炊飯器は、水および米を収容する内鍋と、この内鍋を取り出し可能に収容する炊飯器本体と、該炊飯器本体の上部開口を開閉自在に覆蓋する蓋体と、上記内鍋を加熱する電磁誘導加熱式の炊飯加熱手段と、上記炊飯加熱手段に電源を供給する電源回路の入力電流を検出する入力電流検出手段と、上記電源回路の入力電圧を検出する入力電圧検出手段と、この入力電流検出手段により検出される入力電流を可変することにより所定の出力が得られるように上記炊飯加熱手段に供給する電力を制御する炊飯制御手段とを備えてなる電気炊飯器において、上記入力電圧検出手段により検出された入力電圧値により上記炊飯制御手段の設定電流値を補正する設定電流値補正手段とを設けたことを特徴としている。
【００２０】
このような構成によれば、入力電圧の変動に対応して、電磁誘導加熱式の炊飯加熱手段の駆動回路に供給する制御出力形成のための設定目標電流値自体が適正に補正されるので、入力電圧が低下した時は、同入力電圧の低下分だけ制御出力形成のための電流値が増大制御されるようになり、常時一定の出力が確保されるようになる。しかも、電流で制御するため、電源インピーダンス変動の影響を受けない。
【００２１】
したがって、すでに述べた従来の入力電力制御方法のような内鍋との関係を含めた回路内部要素のバラツキその他の電源電圧の変動の影響を受けることなく、常に一定の安定した電力制御を行うことができる。
【００２２】
その結果、炊飯性能が向上し、より美味しいご飯を炊き上げることができるようになる。
【００２３】
（２）  請求項２の発明
この発明の電気炊飯器は、上記請求項１の発明の構成において、入力電圧検出手段の検出速度を炊飯制御手段のフィードバック制御速度よりも遅くしたことを特徴としている。
【００２４】
このような構成によれば、炊飯制御手段を形成するマイコン制御ユニットが処理すべきデータ量を少なくすることができ、低分解能のマイコン制御ユニットに応じた適正な検出速度となることから、より安定した電力制御を実現することができる。
【００２５】
また、このようにしても、上述した電源電圧の変動は、その性格上短時間で収束変動するようなものではないので、実質的な支障はない。
【００２６】
（３）  請求項３の発明
この発明の電気炊飯器は、上記請求項１又は２の発明の構成において、入力電圧検出手段のフィルタ回路の時定数を、発生するリップル電圧に対応して大きくしたことを特徴としている。
【００２７】
このような構成によれば、入力電圧中のリップル成分を効果的に低減することができ、より安定した電力制御が可能となる。
【００２８】
したがって、当該回路のワークコイル等電磁誘導加熱式の炊飯加熱手段が負荷としてＯＮ，ＯＦＦ作動することによる入力電圧の変動（脈動）等上述の構成では対応しにくい周期の短かい電圧変動をも効果的に吸収することができ、より安定した一定の電力制御が可能となる。
【００２９】
（４）  請求項４の発明
この発明の電気炊飯器は、上記請求項１，２又は３の発明の構成において、入力電流検出手段が充放電コンデンサを備えたピークホールド検出回路よりなり、入力電流の変動は次の半サイクルで補正されるようにしたことを特徴としている。
【００３０】
このような構成によれば、入力電流がピーク値で検出されるようになり、脈動の影響を排除することができるとともに、電源周波数の次の半サイクルで同電流の変動を補正し、さらに当該検出値をリセットして、新たな入力電流の検出に備えることができる。
【発明の効果】
【００３１】
以上の結果、本願発明によると、従来のように配電電圧の変動や内鍋との関係を含めた回路内部要素のバラツキ等による入力電圧の変動に影響されることなく、常に一定の安定した電力制御を行うことができる信頼性の高い電気炊飯器を提供することができるようになる。
【発明を実施するための最良の形態】
【００３２】
図１〜図６は、すでに述べた配電電圧の変動や内鍋との関係を含めた回路内部要素のバラツキ等による入力電圧の変動に影響されることなく、常に一定の安定した電力制御を行うことができるようにした本願発明の最良の実施の形態に係る電気炊飯器の構成を示している。
【００３３】
（炊飯器本体の構成）
先ず本願発明の最良の実施の形態における電気炊飯器では、図１に示すように、例えば内鍋（飯器ないし保温容器）３として非金属材料からなる鍋（例えば、セラミック製の土鍋）が採用されており、その底壁部３ａの外周面および該底壁部３ａから側壁部３ｂ面に至る間の湾曲面には、内部に誘起されるうず電流によって自己発熱が可能な、例えば銀ペースト等の金属製の第１，第２の誘導発熱体Ｇ1，Ｇ2が個別に貼設されている。
【００３４】
すなわち、該電気炊飯器は、同構成の内鍋３と、該内鍋３を任意にセットし得るように形成された下部側合成樹脂製の皿状の底壁部４および上部側筒状の側壁部６よりなる内ケース（保護枠）４６と、該内ケース４６を保持する外部筺体である有底筒状の外ケース１と、該外ケース１と上記内ケース４６とを一体化して形成された炊飯器本体の上部に開閉可能に設けられた蓋ユニット（蓋体）２とから構成されている。
【００３５】
上記内ケース４の底壁部（底部）４ａの下方側にはコイルカバー９３が設けられ、その下部にはフェライトコア７を配置し、またその上部には、上記内鍋３の底壁部３ａの下面側と側部湾曲面側の各誘導発熱体Ｇ1，Ｇ2位置に対応して各々リッツ線が同心状に巻成された第１，第２の２組のワークコイルＣ1，Ｃ2が設けられており、それにより通電時には内鍋３の上記第１，第２の誘導発熱体Ｇ1，Ｇ2にうず電流を誘起して、内鍋３を間接的に加熱するようになっている。該第１，第２のワークコイルＣ1，Ｃ2は、例えば相互に直列に接続されている（したがって、以下の動作説明および図４の制御回路図では単にワークコイルＣとして示す）。
【００３６】
内ケース４６の皿状の底壁部４は、底面部４ａの中央部にセンターセンサーＣＳのセンサー部嵌合口が形成されているとともに、同センサー部嵌合口の外周側上面にドーナツ状の遮熱板５０が設けられている。また、外周側側面部４ｂの上端側には、所定幅半径方向外方に張り出したフランジ状の段部４ｃが設けられ、この段部４ｃ部分に上部側筒状の側壁部６の下端６ｂ側が係合載置されている。
【００３７】
他方、上部側筒状の側壁部６の上端６ａは、内枠部材９を介して炊飯器本体側上端の肩部材１１に連結して固定されている。
【００３８】
そして、上記第１，第２のワークコイルＣ1，Ｃ2の一端は、例えば図３、図４の制御回路図に示すように整流回路３５および平滑回路３６を介した電源ラインに、また他端はＩＧＢＴ（パワートランジスタ）３７のコレクタにそれぞれ接続されている。
【００３９】
また、上記内ケース４６の上部側筒状の側壁部６の外周には、炊飯および保温時において加熱手段として機能する側面ヒータ（保温ヒータ）Ｈ1が設けられており、炊飯時および保温時において上記内鍋３の全体を有効かつ均一に加熱するようになっている。この側面ヒータＨ1部分には、同部分の温度を検出する側部温度センサＳ3が設けられている。
【００４０】
そして、それら２種の加熱手段Ｃ1，Ｃ2、Ｈ1と後述する蓋ユニット２側の蓋ヒータＨ2を例えば図３の制御回路図に示すようにマイコン制御ユニットによって適切に駆動制御することによって適切な炊飯機能と保温機能とを実現できるようになっている。
【００４１】
ところで、本実施の形態の場合、例えば図１に詳細に示されるように、上記皿状の下部側底壁部４および筒状の上部側側壁部６からなる内ケース４６の内周面と内鍋３の外周面との間には、その底部側から側部上方に到る送風通路を形成する隙間５ａ〜５ｇが設けられている。
【００４２】
この隙間５ａ〜５ｇは、上記ドーナツ板状の遮熱板５０の内側センターセンサーＣＳの外周部５ａ部分では広く、遮熱板５０と内鍋３の底壁部３ａとの間５ｂ部分では狭く、内鍋３の底壁部３ａ外周の設置用凸部３１，３１，３１部分５ｃでは平面リング状の凹溝部に形成され、さらに内鍋３の底壁部３ａから側壁部３ｂに到る湾曲部５ｄ部分では狭い状態から徐々に広くなって上下方向にストレートな側壁部３ｂの下部に達した部分５ｅでは最も広くなって断面積の大きな熱風留り空間を形成している。
【００４３】
そして、同内鍋３の側壁部３ｂの下部部分から肩部開口縁部３ｃに到るまでの上下方向にストレートな部分５ｆでは、上記内ケース４６の上部側側壁部６と内鍋３の側壁部３ｂとが近接する位の狭い隙間に形成され、やがて外ケース１側の肩部材１１と内鍋３の開口縁部３ｃとの間の広い隙間５ｇを介して炊飯器本体と蓋ユニット２との間の隙間から外部に開放されている。
【００４４】
一方、本実施の形態では、図示はしなかったが、上下方向に対向する電磁誘導加熱手段としての第１のワークコイルＣ1と外ケース１の底部材１ｂとの間に位置してファン（図３の１６，１７を参照）を設けるとともに、上記内ケース４６の下部側皿状の底壁部４部分に同ファンからの風を上記内ケース４６と内鍋３との間の送風通路に導入する第１，第２の風導入口を設け、この第１，第２の風導入口を介して上記ファンからの風を、上記第１のワークコイルＣ1を冷却した後に上記内ケース４６と内鍋３との間に導入し、その底部側から側部外周側全体に上昇させて行くようにしている。
【００４５】
この場合、上記第１，第２の風導入口は、例えば上記第１のワークコイルＣ1の内周側と外周側に位置して設けられており、内周側に位置する第１の風導入口から導入された風は、上記内ケース４６の底壁部４中央のセンターセンサーＣＳの外周部５ａ部分から半径方向外周に放射状に広がって流れて行き、炊飯時における内鍋３の底壁部３ａの第１の誘導発熱体Ｇ1から上記内ケース４６の底壁部４側への輻射熱を可及的に吸収冷却する。
【００４６】
そして、半径方向外周側では、上記第２の風導入口から導入された風と合流し、同第２の風導入口から導入された風と共に湾曲部５ｄから側壁部５ｅ側の熱風留り空間方向に流れて行くが、この場合、第２の風導入口から導入された温度の低い風が内ケース４６側（外側）に位置する２層状態となり、内ケース４６側を効果的に冷却する。
【００４７】
このような構成によると、上記ファンからの風が、発熱部材である第１のワークコイルＣ1を冷却した後に内ケース４６の底壁部４の第１，第２の風導入口を介して内ケース４６と内鍋３との間に導入されることから、電気的に発熱して温度が上昇する第１のワークコイルＣ1が効果的に冷却され、温度の上昇が抑制されるとともに、同第１のワークコイルＣ1の熱によって加熱（熱交換）され、温度が上昇した温風が、先ず内ケース４６底部の第１，第２の風導入口を介して内ケース４６の底壁部４と内鍋３の底壁部３ａとの間に導入され、内鍋３の底壁部３ａの誘導発熱体Ｇ1，Ｇ2で加熱されることにより、さらに温度を上昇させた熱風状態で、上記内鍋３の側壁部３ｂの全周を加熱しながら上端部側まで上昇する。
【００４８】
その結果、ワークコイルＣ1，Ｃ2の保温ヒータＨ1の出力を増大させることなく内鍋３の側壁部３ｂ部分の加熱効率を向上させることができ、上述のように伝熱性の悪い内鍋３全体の加熱性能を可及的に均一に向上させることができ、その分ご飯の加熱ムラがなくなる。
【００４９】
しかも、その場合において、上記送風通路を形成している内鍋３と内ケース４６との間の隙間５ｅは、特に内鍋３の底壁部３ａの外周部分から上下方向にストレートな側壁部３ｂの下部に到る湾曲面に対応する５ｄ〜５ｅ部分では、内鍋３の厚さを側壁部３ｂ部分よりも薄くして壁部外周面に段差を形成することにより特に断面積を広くして、熱風留り空間を形成するようにしており、同空間内に熱風を滞留させ、内鍋３の底壁部３ａから側壁部３ｂに亘る部分を熱風で効率良く包んで補助加熱し、例えば吸水工程からむらし工程までの各炊飯工程において、有効なかまど加熱状態を実現するようになっている。
【００５０】
したがって、上記内鍋３の加熱効率改善効果（伝熱性向上、加熱量の均一分布性）が、より向上する。
【００５１】
また、逆に内鍋３の上下方向にストレートな側壁部３ｂ部分の厚さは、上記湾曲部および底壁部３ａ側よりも厚くなっていて保熱性（蓄熱性）が高くなっているとともに、上記内ケース４６の上部側筒状の側壁部６との間の隙間５ｆが小さく、近接状態で送風通路を形成するようにしている。
【００５２】
したがって、同構成では、上記内ケース４６の上部側筒状の側壁部６の外周に設けられた側面ヒータＨ1からの熱が同内鍋３の側壁部３ｂに対して可及的有効に作用して、内鍋３側の側壁部３ｂ部分の加熱効率が、さらに有効に向上する。
【００５３】
また、以上の構成における上記送風通路を形成している隙間５ａ〜５ｆは断熱保温空間としても機能するとともに、特に誘導発熱体Ｇ1，Ｇ2に対応する隙間５ｂ，５ｄ部分では内ケース４６の耐熱性合成樹脂よりなる下部側皿状の底壁部４の耐熱限界を一層高くする輻射熱遮断空間としての作用も有している。
【００５４】
さらに、この実施の形態の場合、上記ファンは、ご飯の炊き上げが完了した後（むらし工程が終了して、上記第１，第２のワークコイルＣ1，Ｃ2の電源がＯＦＦされた後）のご飯の冷却作用も有しており、目標保温温度に速やかに移行させることができる。
【００５５】
一方、上述の炊飯、保温機能に対するタイマー予約や炊飯および保温メニューの選択、それら各メニューに対応した各工程における加熱出力、加熱時間、保温温度、保温時間などの操作設定は、当該電気炊飯器本体の前面部に設けられた、図２のような操作パネル２０の各種入力スイッチ群２２ａ〜２２ｉを介してユーザーにより行われ、その設定内容に応じて最終的に上記第１，第２のワークコイルＣ1，Ｃ2および側面ヒータＨ1、蓋ヒータＨ2が適切に制御されるようになっている。
【００５６】
上記操作パネル２０面のスイッチ２２ａ〜２２ｉは、例えば炊飯スイッチ２２ａ（ＯＮ表示部２３ａ）、タイマー予約スイッチ２２ｂ（ＯＮ表示部２３ｃ）、取消スイッチ２２ｃ、保温スイッチ２２ｄ（ＯＮ表示部２３ｂ）、再加熱スイッチ２２ｅ、メニュー選択スイッチ２２ｆ、時・設定スイッチ２２ｇ、分・設定スイッチ２２ｈ、保温ＯＦＦ制御モード選択スイッチ２２ｉ（ＯＮ表示部２３ｄ）、火かげんスイッチ２２ｊよりなっている。
【００５７】
また、上記操作パネル２０の中央部には、炊飯、保温の各メニュー、設定された保温温度、設定保温時間並びに現在時刻および炊飯完了までの残時間、空炊き報知、その他の各種必要事項を表示する液晶表示部２１が設けられている。
【００５８】
そして、上記外ケース１内の上記操作パネル２０の裏側空間には、図示しない操作基板Ｐ1、マイコン基板Ｐ2がそれぞれ傾斜状態で設置されている。
【００５９】
また、上記内ケース４の前面部側（図１参照）には、例えば図３、図４に示されるような、第１，第２のワークコイルＣ1，Ｃ2、側面ヒータＨ1、蓋ヒータＨ2等を駆動制御する、上記ＩＧＢＴ３７や側面ヒータ駆動回路３３、蓋ヒータ駆動回路４５、電源電圧整流用のダイオードブリッジよりなる整流回路３５、平滑回路（平滑コンデンサ）３６、チョークコイル３９、マイコン制御ユニット３２、その他の制御部品を備えた図示しない制御基板Ｐ3が上下方向に立設して設けられている。
【００６０】
また上記外ケース１は、例えば金属部材で形成された上下方向に筒状のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４６の底壁部４との間に所定の広さの断熱および通風空間部を形成した全体として有底の筒状体に構成されている。
【００６１】
さらに、上記内ケース４６の下部側皿状の底壁部４の中央部には、上述の如く上下方向に同心状に貫通したセンターセンサー嵌合口（センターセンサー収納空間部）が形成されており、該センターセンサー収納空間部中に上下方向に昇降自在な状態で、かつ常時コイルスプリングにより上方に上昇付勢された状態で内鍋底部の温度を検知する内鍋温度センサＳ1および内鍋の有無を検知する内鍋検出スイッチＳ2を備えたセンターセンサーＣＳが設けられている。
【００６２】
一方、符号２は蓋ユニットであり、該蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内にパッキン１４ａおよび金属製の放熱板１６ａと、該放熱板１６ａの上面に設けられた蓋ヒータＨ2と、上記放熱板１６の温度を検知する蓋温度センサＳ4と、上記放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、符号１５ａは調圧パイプ１５内の調圧弁、さらに符号１５ｂはその下部側キャップである。
【００６３】
この蓋ユニット２は、上記外ケース１上部の後端側で肩部材１１に対してヒンジ機構８を介して回動自在に取付けられており、その開放端側には、該蓋ユニット２の所定位置に係合して該蓋ユニット２の上下方向への開閉を行うロック機構１０が設けられている。
【００６４】
したがって、該構成では、先ず炊飯時には、上記内鍋３は、上記第１，第２の２組のワークコイルＣ1，Ｃ2の駆動により生じる渦電流によって、その底壁部３ａから側壁部３ｂ側にかけて設けられている第１，第２の誘導発熱体Ｇ1，Ｇ2が発熱して内鍋３の底壁部３ａから側壁部３ｂに亘る部分が加熱されるとともに、側面ヒータＨ1によって内鍋３の側壁部３ｂが加熱され、さらに蓋ヒータＨ2によって内鍋３の上部が加熱される。
【００６５】
しかも、同状態において、上述のようにファン１７による熱風が供給されて内鍋３の底部から側部全体を包み込む。その結果、例えば炊飯量が多い時などにも内鍋３の全体を略均一に加熱して加熱ムラなく効率良く炊き上げることができる。また、沸騰工程以降の水分がなくなった状態における内鍋３の底壁部３ａの局部的な熱の集中を防止して、焦げ付きの発生をも防止することができる。
【００６６】
次に、炊飯が完了した保温時には、上記第１，第２のワークコイルＣ1，Ｃ2がＯＦＦにされる一方、内鍋３の側壁部３ｂに対応して設けられた上記側面ヒータＨ1および放熱板１６ａに設けられた蓋ヒータＨ2の駆動により、内鍋３の底壁部３ａから側壁部３ｂおよび上方部の全体が適切な加熱量で均一に保温加熱されて、結露の生じない土鍋特有の熱保持力（蓄熱力）を利用した余熱の活用による効率的な（省エネ性能の高い）保温性能が実現される。
【００６７】
一方、上記マイコン基板Ｐ2のマイコン制御ユニット３２には、上記各入力スイッチ２２ａ〜２２ｊを介して入力されたユーザーの指示内容を判断する所望の認識手段が設けられており、該認識手段で認識されたユーザーの指示内容に応じて所望の炊飯又は保温機能、保温ＯＦＦ機能、所望の炊飯（又は保温）メニュー、それら炊飯又は保温メニューに対応した所定の加熱パターン（加熱出力、加熱時間）、火かげんレベルを設定して、その炊飯加熱制御手段又は保温加熱制御手段、保温ＯＦＦ制御手段を適切に作動させて所望の炊飯又は保温制御、保温ＯＦＦ制御を行うようになっている。
【００６８】
したがって、ユーザーは、上記各入力スイッチ２２ａ〜２２ｊを使って炊飯又は保温、タイマー予約、予約時刻設定、白米又は玄米、早炊、おかゆ、すしめし、炊き込み等の炊き分け、通常保温モード又は省エネ保温モード、保温ＯＦＦモード、火かげん調節モードその他の各種機能の選択設定内容を入力すれば、それに対応した機能内容が当該マイコン制御ユニット３２内の認識手段を介して炊飯および保温加熱パターン等設定部に自動的に設定入力され、対応する炊飯又は保温加熱制御、保温ＯＦＦ制御、火かげん制御が適切になされるようになる。
【００６９】
なお、以上の内鍋３の構成では、誘導発熱体Ｇ1，Ｇ2を内鍋３の外周面側に設けるようにしたが、これは例えば内鍋３の内周面側あるいは外周面側と内周面側の両面に設けるようにしてもよい。内周面側に誘導発熱体があると、水および飯米への熱伝達効率が高くなるとともに内鍋３内の対流が生じやすくなり、内鍋３内全体の均一な加熱が可能となる。
【００７０】
さらに、内鍋３の外周面と内周面の両方に誘導発熱体があると、内鍋３自体の加熱効率が一層向上するとともに全体の加熱性能が均一になり、加熱ムラが解消される。この場合、例えば内周面側の誘導発熱体を誘導性はないが熱伝導率の高い金属体に変更することができる。そのようにした場合、外周面側の誘導発熱体に対応する部分の熱を内鍋３の内周面全体に応答性良く伝達することができるようになるので、外周面だけの誘導発熱体の場合にも確実に従来のような局部的な加熱ムラを解消することができるとともに、さらに内鍋３内に対流を効率良く生じさせることができる。
【００７１】
さらに、また上記誘導発熱体は、例えば内鍋３の底壁部又は側壁部内に埋設することもできる。
【００７２】
そして、これら各誘導発熱体の形成は、ペースト状のものの場合のほか、例えば金属溶射により発熱層を形成するなど各種の方法の採用が可能である。
【００７３】
（炊飯器本体側制御回路部分の構成）
次に、図３および図４は、上述のように構成された炊飯器本体側の炊飯又は保温、空炊き検知制御を行うマイコン制御ユニット３２を中心とする制御回路部分の構成を示している。
【００７４】
図３中において、符号３２が上述のような炊飯加熱制御手段および保温加熱制御手段、内鍋温度検知手段、内鍋有無検知手段、空炊き検知（判定）手段、液晶表示制御手段、ブザー報知手段、火かげん制御手段等を備えた炊飯・保温等各種制御用のマイコン制御ユニット（ＣＰＵ）である。
【００７５】
該マイコン制御ユニット３２はマイクロコンピュータを中心として構成されており、例えば内鍋３の底部の温度を検知する内鍋温度検知回路４３、ワークコイルＣ（ワークコイル回路）を駆動するＩＧＢＴ３７の駆動回路４２、内鍋３のセット状態を検知する内鍋検知回路４４、メインクロック信号発振回路５９、リセット回路５４、側面ヒータＨ1を駆動する側面ヒータ駆動回路３３、蓋ヒータＨ2を駆動する蓋ヒータ駆動回路２４、ブザー駆動回路６０、ワークコイル用整流平滑回路３５，３５、ＤＣ電源用整流平滑回路（整流器４９、平滑コンデンサＣ1・・・図５参照）４９、入力電圧検出回路５２、ファンモータ駆動回路１６、省エネ回路５７、ＥＥＰＲＯＭ５８、入力電流検出回路４７、ゼロクロス信号検出回路４８、同期トリガー回路４０、ＤＣ電源回路５１、マイコン電源回路５３、液晶表示部２１、動作表示用ＬＥＤ２３ａ〜２３ｄ、各種操作スイッチ２２ａ〜２２ｊ、ノイズフィルタ回路７０等がそれぞれ入出力可能に接続されている。
【００７６】
そして、先ず上記内鍋３の底部３ａ側センターセンサーＣＳ部の内鍋温度検知センサＳ1に対応して設けられた内鍋温度検知回路４３および内鍋検知スイッチＳ2に対応して設けられた内鍋検知回路４４には、内鍋温度検知センサーＳ1による内鍋３の底部３ａの温度検知信号、内鍋検知スイッチＳ2による内鍋検知信号がそれぞれ入力されるようになっている。
【００７７】
また、上記ワークコイル回路Ｃ（３７・３８）に対応したＩＧＢＴ駆動回路４２は、上記マイコン制御ユニット３２により、例えば炊飯工程の各工程に応じて上記ワークコイルＣ（Ｃ1，Ｃ2）の出力値（ワット数）および同出力値での通電率（例えばｎ秒／１６秒）をそれぞれ適切に変えることによって、同炊飯工程の各工程における上記土鍋等非金属製の内鍋３の加熱温度と加熱パターンを炊飯量を考慮して適切に可変コントロールし、均一な吸水作用と加熱ムラのないご飯の炊き上げを実現するフィードバック制御を行うようになっている。
【００７８】
このマイコン制御ユニット３２によるフィードバック制御は、ワークコイル回路Ｃ（３７・３８）の出力状態に対応したフィードバック値調整回路およびフィードバック制御回路の制御信号に基いてなされる（詳細は後述）。
【００７９】
また同マイコン制御ユニット３２により、それぞれ上記側面ヒータ駆動回路３３および蓋ヒータ駆動回路２４を制御することにより、例えば炊飯又は保温の各工程に応じて上記側面ヒータＨ1、蓋ヒータＨ2の所定の出力値での通電率（例えばｎ秒／１６秒）をそれぞれ適切に変えることによって、炊飯又は保温の各工程における内鍋３の加熱温度と加熱パターンとを実際の炊飯量を考慮して適切に可変コントロールするようになっている。
【００８０】
一方、上記入力電流検出回路４７は、例えば図４の電気回路図に示すように、カレントトランスＣＴをＡＣ電源３０と整流回路３５との間の電源ライン（入力ライン）中に設け、同カレントトランスＣＴを入力電流検出手段として整流回路３５およびワークコイル回路Ｃ（３７，３８）への入力電流を検出するようになっている。
【００８１】
そして、同カレントトランスＣＴを介して検出されたＡＣ電源３０から整流回路３５およびワークコイル回路Ｃ（３７，３８）への入力電流Ｉは、マイコン制御ユニット３２に入力され、上記ワークコイルＣに供給する高周波電流をインバータ制御するＩＧＢＴ駆動回路４２のパルス幅コントロール（電力制御）に使用される。
【００８２】
また、入力電圧検出回路５２は整流器４９を介して上記電源回路の入力電圧Ｖを検出し、マイコン制御ユニット３２の入力電流補正係数演算部５５に入力され、同入力電流補正係数演算部５５により、当該入力電圧Ｖと基準電圧設定部５６で設定されている基準電圧Ｖref（ＡＣ１００Ｖ）との比Ｖref／Ｖを演算する。この電圧比Ｖref／Ｖが入力電流補正係数となり、後述するフィードバック制御回路の基準となる設定電流値（制御目標値）Ｉrefの補正に使用される。
【００８３】
すなわち、本実施の形態の場合、上記ＩＧＢＴ駆動回路４２をフィードバック制御するマイコン制御ユニット３２内のフィードバック制御回路（機能ブロック回路）は、例えば図４のように構成されており、ＩＧＢＴ駆動回路４２を制御対象、電流−パルス幅変換回路（ＰＷＭ回路）７３を制御装置（調節装置）、電流値設定手段７４を目標値設定手段、カレントトランスＣＴ・入力電流検出回路４７をフィードバックライン、整流器４９・入力電圧検出回路５２・入力電流補正係数演算部５５を設定電流値補正ライン、入力電流の検出値Ｉをフィードバック値とし、設定電流値補正用の掛け算器Ａ、フィードバック制御のための偏差演算用の比較器（減算器）Ｂ、パルス変換のための最終的な電流値演算用の加算器Ｃ等を備えて制御系が構成されている。
【００８４】
そして、同回路では、その時の炊飯メニュー、炊飯量、炊飯工程に応じて上述したＥＥＰＲＯＭ５８中の炊飯プログラムにより設定された上記電流値設定手段７４の設定された入力電流値Ｉrefを制御目標値（基準値）として制御を行なうようになっているが、本実施の形態の場合、同目標値Ｉrefは、掛け算器Ａを介して上記入力電圧検出回路５２によって検出された電源回路の入力電圧Ｖの所定の基準電圧Ｖrefとの比Ｖref／Ｖによって補正された後に比較器Ｂ、加算器Ｃに供給されるようになっている。
【００８５】
すなわち、上記設定された目標値Ｉrefは、マイコン制御ユニット３２の入力電流補正係数演算部５５により演算されたＡＣ電源１００（Ｖ）の時の基準入力電圧（適正な入力電圧・・・基準電圧設定部５６で設定）Ｖrefと実際に入力電圧検出回路５２で検出された入力電圧Vとの比（入力電圧変動率）Ｖref／Ｖを補正係数として補正され、例えば入力電圧Ｖの値が低下すると、電流値設定手段７４で設定されている上記目標値Ｉrefの値を同入力電圧Ｖの低下率に応じて増大させ、また逆の場合には同目標値Ｉrefを当該入力電圧Ｖの上昇率に応じて低下させ、同入力電圧Ｖの変動率に応じて増減補正された目標値Ｉref′によって最終的な電流（電力）−パルス幅変換回路７３へ供給される入力電流Ｉｗの値が一定になるように制御されるようになっている。
【００８６】
すなわち、続く比較器Ｂでは、同補正後の目標値Ｉref′に対して上記入力電流検出回路４７によって検出された実際の入力電流Ｉの値が大きいか、小さいか、その偏差値±（Ｉ−Ｉref′）を演算し、同演算値±（Ｉ−Ｉref′）を加算器Ｃに供給する。そして、加算器Ｃでは、当該演算された偏差値±（Ｉ−Ｉref′）を上記電流値設定手段７４からの補正された目標値Ｉref′に加算し、同加算値｛Ｉref′＋（Ｉ−Ｉref′）｝を最終的なワークコイル出力（電力）制御電流量Ｉｗとして所定の変換利得Ｇの電流（電力）−パルス幅変換回路７３に入力し、同電流量Ｉｗに対応した一定の幅のパルス信号Ｐｗ（Ｐｗ＝Ｇ｛Ｉref′＋（Ｉ−Ｉref′）｝）を生成してＩＧＢＴ駆動回路４２の制御を行う。
【００８７】
以上のように、本実施の形態では、上記比較器Ｂおよび加算器Ｃに供給される電流値設定手段７４の目標電流値Ｉrefを上記入力電圧検出回路５２で検出したＡＣ１００（Ｖ）時の基準電圧Ｖrefに対して変動する実際の入力電圧の比Ｖref／Ｖによって増減補正した電流値Ｉref′で、パルス変換すべき最終的な適正な制御電流値（電力値）Ｉｗを演算するようにしている。
【００８８】
これらの関係を式で表すと、次のようになり、上記本実施の形態のワークコイル出力（電力）のフィードバック制御は、結局電流制御となっていることが分る。
【００８９】
Ｉref′＝Ｉref（Ｖref／Ｖ）
Ｉｗ＝｛Ｉref′＋（Ｉ−Ｉref′）｝
Ｐｗ＝Ｇ｛Ｉref′＋（Ｉ−Ｉref′）｝
＝Ｇ・Ｉｗ
Ｇ：電流（電力）−パルス幅変換回路７３の変換利得
これを展開すると、
Ｐｗ＝Ｇ｛Ｉref・（Ｖref／Ｖ）＋Ｉ・（Ｖ／Ｖ）−Ｉref（Ｖref／Ｖ）｝
＝（Ｇ／Ｖ）｛Ｉref・Ｖref＋（Ｉ・Ｖ−Ｉref・Ｖref）｝
＝（Ｇ／Ｖ）｛Ｗref＋（Ｗ−Ｗref）｝
Ｗref：設定電力値
Ｗ：検出された電力値（Ｖ・Ｉ）
となり、従来の電力制御の場合と同様の作用を得ることができる。
【００９０】
このような構成によれば、入力電圧の変動に対応して、ワークコイルＣ（Ｃ1，Ｃ2）の駆動手段であるＩＧＢＴ駆動回路４２に供給する制御出力Ｐｗ形成のための目標電流値Ｉrefが適正に補正、すなわち入力電圧Ｖが低下した時は同入力電圧Ｖの低下分目標電流値Ｉrefが増大され、それに合わせて制御電流Ｉｗが増大されるるようになり、同制御電流Ｉｗに応じた制御パルス出力Ｐｗが確保される。しかも、電流で制御するため、電源インピーダンス変動の影響を受けない。
【００９１】
したがって、同演算されたパルス出力Ｐｗは、外部配電系統からの電源電圧の変動、ワークコイルＣ（Ｃ1，Ｃ2）自体のＯＮ，ＯＦＦによる電源電圧の変動、ワークコイルＣの発熱（温度上昇）によるリッツ線抵抗値の減少や土鍋等非金属性の内鍋３の場合の誘導発熱体Ｇ1，Ｇ2とワークコイルＣ1，Ｃ2との距離の製品毎のバラツキによる電磁誘導回路インダクタンスの相違等電源インピーダンスの変化による電圧変動等各種入力電圧の変動に起因する制御電力値の変動を有効に防止することができるものとなる。
【００９２】
このため、すでに述べた従来の入力電力制御方法のような内鍋との関係を含めた回路内部要素のバラツキや電源電圧の変動の影響を受けることなく、常に一定の安定した電力制御を行うことができる。
【００９３】
その結果、炊飯性能が向上し、より美味しいご飯を炊き上げることができるようになる。
【００９４】
また、製品検査においても、１品毎に電力調整を行う必要がなくなり、基板状態での検査が可能となる。
【００９５】
また、以上の構成の入力電圧検出回路５２の検出速度は、上記マイコン制御ユニット３２のフィードバック制御速度およびそれに対応した入力電流検出回路４７の検出速度よりも遅くしている。
【００９６】
このような構成によれば、炊飯制御手段を形成するマイコン制御ユニット３２が処理すべきデータ量を少なくすることができ、低分解能のマイコン制御ユニットに応じた適正な検出速度となることから、より安定した電力制御を実現することができる。
【００９７】
また、このようにしても上述した電源電圧の変動は、その性格上短時間で収束変動するようなものではないので、実質的な支障はない。
【００９８】
さらに、本実施の形態の場合、上記入力電流検出回路４７は、例えば図５に示すように、上述したＤＣ電源回路５１用の電源電圧整流平滑回路４９部分を兼用しているとともにワークコイルＣ（Ｃ1，Ｃ2）がＯＮ，ＯＦＦした時の電圧変動等入力電圧のリップル成分を低減するために十分なだけの時定数（遅延定数）の大きなフィルタ回路を備えて構成されている。
【００９９】
すなわち、図５において、抵抗Ｒ1，Ｒ2は第１の分圧回路、Ｃ1は平滑コンデンサであり、整流器（ダイオード）４９を介して入力される電源電圧Ｖは、抵抗Ｒ1，Ｒ2で分圧（Ｒ2／（Ｒ1＋Ｒ2））され、かつ平滑コンデンサＣ1で平滑されてＤＣ２０（Ｖ）になり、ＤＣ電源回路（電源ＩＣ）５１に供給される。
【０１００】
他方、抵抗Ｒ3，Ｒ4は、第２の分圧回路を形成しており、上記第１の分圧回路の分圧抵抗Ｒ1，Ｒ2による分圧電圧（２０Ｖ）を、さらにＲ4／（Ｒ3＋Ｒ4）の分圧比で分圧し、同分圧された電圧を電源電圧として抵抗Ｒ5、コンデンサＣ2よりなるリップルフィルタ回路を介してマイコン制御ユニット３２の電源端子に供給するようになっている。
【０１０１】
そして、このリップルフィルタ回路Ｒ5，Ｃ2は、Ｒ・Ｃ時定数の値が十分に大きく（遅延機能が高く）、入力電圧中のリップル成分を効果的に低減することができるようになっている。
【０１０２】
したがって、当該回路のワークコイルＣ（Ｃ1，Ｃ2）等が負荷としてＯＮ／ＯＦＦ作動することによる入力電圧の変動（脈動）等上述の構成では対応しにくい周期の短かい電圧変動成分をも効果的に吸収することができ、より安定した一定の電力制御が可能となる。
【０１０３】
また、本実施の形態の形態では、上記入力電流検出回路４７は、例えば図６に示すように、マイコン制御ユニット３２のポートをＬｏｗ出力とする一方、整流用のダイオードＤと電流制限抵抗Ｒ6の直列回路の中間に電源周波数５０／６０（ｃ）の半サイクルで充放電することが可能な所定の容量のコンデンサＣ3を接続してアースすることにより、電源電流のピークホールド検出回路を構成しており、上述のような電源電圧の変動があった場合には、電源周波数の次の半サイクルのタイミングで補正動作がなされ、かつ同ピークホールド回路のリセットはコンデンサＣ3の充放電によってなされるようになっている。
【０１０４】
ところで、従来の電力制御の場合、上記ＩＧＢＴ駆動回路４２をフィードバック制御するマイコン制御ユニット３２内のフィードバック制御回路（機能ブロック回路）は、例えば図７のように構成されており、ＩＧＢＴ駆動回路４２を制御対象、電力−パルス幅変換回路（ＰＷＭ回路）７３を制御装置（調節装置）、電力値設定手段７２を目標値設定手段、整流器４９〜入力電圧検出回路５２およびカレントトランスＣＴ〜入力電流検出回路４７、掛け算器Ａをフィードバックライン、入力電圧検出回路５２の検出値Ｖと入力電流検出回路４７の検出値Ｉとの積Ｖ・Ｉ＝Ｗ（電力）をフィードバック値とし、比較器（コンパレータ）Ｂ、加算器Ｃを備えて制御系が構成されている。
【０１０５】
そして、同回路では、その時の炊飯メニュー、炊飯量、炊飯工程に応じて炊飯プログラムにより設定された上記電力値設定手段７２の設定電力値Ｗrefを目標値として制御を行ない、同目標値Ｗrefに対して、上記入力電圧検出回路５２によって検出された入力電圧Ｖと入力電流検出回路４７によって検出された入力電流Ｉとの積Ｖ・Ｉ＝Ｗが大きいか、小さいか、それら間の偏差（Ｗref−Ｗ）を比較器Ｂで演算し、同演算値（Ｗref−Ｗ）を加算器Ｃに供給し、上記電力値設定手段７２からの目標値Ｗrefに加算し、同加算値を最終的なワークコイル出力（電力）制御量として電力−パルス幅変換回路７３に入力し、一定の幅のパルス信号Ｐｗを生成してＩＧＢＴ駆動回路４２の制御を行うようにしていた。
【０１０６】
したがって、この場合、最終的に電力−パルス幅変換回路７３から出力されるパルス幅Ｐｗは次式で示される。
【０１０７】
Ｐｗ＝Ｇ｛（Ｗ−Ｗref）＋Ｗref｝
Ｇ：電力−パルス幅変換回路７３の変換利得
しかし、この式を満足させる演算を行なおうとすると、３２ｂｉｔ／１６ｂｉｔの演算能力が必要となるため、８ｂｉｔ程度の低機能マイコン制御ユニットでは処理能力が不足し、適正な演算を行うことができない。
【０１０８】
ところが、以上のように、入力電圧検出回路５２の検出速度を入力電流検出回路４７の検出速度よりも相当に遅くするとともに上記フィードバック制御回路自体の制御速度よりも遅くすると、上述のような入力電圧変動の影響を受けないことは素より、電力−パルス幅変換回路７３の出力パルス幅Ｐｗの演算式は、すでに述べた次の式のようになり、各演算が１６ｂｉｔ／８ｂｉｔで可能となり、８ｂｉｔ程度の低分解能のマイコン制御ユニットでも演算を行うことが可能となる。
【０１０９】
Ｐｗ＝Ｇ｛Ｉref′＋（Ｉ−Ｉref′）｝
Ｉref′＝Ｉref（Ｖref／Ｖ）
Ｖref：適正なＡＣ電源電圧１００Ｖ時の基準となる入力電圧
（その他の実施の形態）
上述のように、入力電圧検出回路５２のフィルタ回路（図５参照）の時定数を大きくすると、電力制御の安定度を向上させることができる。
【０１１０】
ただ、この方法によると、大容量の電解コンデンサが必要となるなど部品コストが上昇する問題がある。
【０１１１】
そこで、この場合、例えば前回の入力電圧検出値をＪn-1、今回の入力電圧検出値をＪnとして、ソフト的にＪn＝ａnＪn-1＋ｂnｘnの演算を行って、今回の入力電圧検出値を求めるようにすることも可能である。但し、上記ａn＋ｂn＝１であり、ｘnはマイコン制御ユニット３２中のＡＤ変換した検出値＝０〜２５５である。
【０１１２】
この場合、例えば具体的にはＪn＝１／２５６（２２０Ｊn-1＋３６ｘn）のような形で演算する。
【０１１３】
このような方法を採用すると、図５のようにフィルタ回路の時定数を大きくすることなく、マイコン制御ユニット３２のソフトウェアのみで同等の対応を取ることができるので、コスト低減に有効となる。
【図面の簡単な説明】
【０１１４】
【図１】本願発明の最良の実施の形態に係る電気炊飯器の炊飯器本体全体の構成を示す縦断面図である。
【図２】同電気炊飯器の液晶表示部を中心とする操作パネル部分の拡大正面図である。
【図３】同電気炊飯器の全体的な制御回路構成を示すブロック図である。
【図４】同電気炊飯器の図３の制御回路の要部の構成を示す回路図である。
【図５】同電気炊飯器における図４の回路の入力電圧検出回路部分の具体的な構成を示す電気回路図である。
【図６】同電気炊飯器の図４の回路の入力電流検出回路部分の具体的な構成を示す電気回路図である。
【図７】従来の電気炊飯器の電力制御回路の構成を示す回路図である。
【符号の説明】
【０１１５】
Ｃ1，Ｃ2，Ｃはワークコイル、Ｈ1は側面ヒータ、Ｈ2は肩ヒータ、１は外ケース、２は蓋ユニット、３は内鍋、２０は操作パネル、２１は液晶表示部、３２はマイコン制御ユニット、４７は入力電流検出回路、５２は入力電圧検出回路である。
【図１】
2008066013.tif 000003
【図２】
2008066013.tif 000004
【図３】
2008066013.tif 000005
【図４】
2008066013.tif 000006
【図５】
2008066013.tif 000007
【図６】
2008066013.tif 000008
【図７】
2008066013.tif 000009